(57)【要約】【課題】薬剤師など専門家のアドバイスを有効に生かすことの可能なサプリメント推奨システムを提供する。【解決手段】サプリメント推奨システム１００において、ユーザ情報取得部１１０は、ユーザ情報として、ユーザの属性と生活習慣に関する情報と、ユーザの健康課題に関する情報と、ユーザの健康への指向性に関する情報と、サプリメントの由来成分と価格の希望に関する情報と、を取得する。サプリメント推奨シート選択部１２０は、サプリメントの成分由来と価格の希望に関する情報により、サプリメント推奨シートを選択する。サプリメント推奨シートは、ユーザの属性と生活習慣に関する情報を点数化したものと、ユーザの健康課題に関する情報と、ユーザの健康への指向性に関する情報と、に応じて、ユーザに推奨される１又は２種類以上のサプリメントを選択可能なように、サプリメント名が一覧表示されたものである。【選択図】図１
2019101557.tif 000002
【特許請求の範囲】
【請求項１】
ユーザ情報を取得するユーザ情報取得部と、
前記ユーザ情報取得部で取得されたユーザ情報に基づいて複数のサプリメント推奨シートから１つを選択するサプリメント推奨シート選択部と、
前記サプリメント推奨シート選択部により選択されたサプリメント推奨シートを出力するサプリメント推奨シート出力部と、
を有し、
前記ユーザ情報取得部は、前記ユーザ情報として、ユーザの属性と生活習慣に関する情報と、ユーザの健康課題に関する情報と、ユーザの健康への指向性に関する情報と、サプリメントの由来成分と価格の希望に関する情報と、を取得し、
前記サプリメント推奨シート選択部は、前記サプリメントの成分由来と価格の希望に関する情報により、前記サプリメント推奨シートを選択し、
前記サプリメント推奨シートは、前記ユーザの属性と生活習慣に関する情報を点数化したものと、前記ユーザの健康課題に関する情報と、前記ユーザの健康への指向性に関する情報と、に応じて、ユーザに推奨される１又は２種類以上のサプリメントを選択可能なように、サプリメント名が一覧表示されたものであることを特徴とする、サプリメント推奨システム。
【請求項２】
前記ユーザに推奨されるサプリメントには、推奨が優先される優先サプリメントと優先されない非優先サプリメントが予め設定されており、前記優先サプリメントと前記非優先サプリメントが同時に選択された場合には、前記優先サプリメントがユーザに推奨されることを特徴とする、請求項１に記載のサプリメント推奨システム。
【請求項３】
さらに、所定のコメントが記載されたコメントシートを出力するコメントシート出力部を有し、
前記コメントシート出力部は、前記ユーザの属性と生活習慣に関する情報を点数化したものが所定点数を下回っていたか、又は、前記ユーザにより健康課題として選択されなかったことによってサプリメントがユーザに推奨されないときに、前記コメントシートを出力することを特徴とする、請求項１又は２に記載のサプリメント推奨システム。
【発明の詳細な説明】
【技術分野】
【０００１】
本発明は、ユーザに適したサプリメントを推奨するためのサプリメント推奨システムに関する。
【背景技術】
【０００２】
ネットを介してサプリメントを提供するシステムとして、特開２００４−２７２６１８号公報（特許文献１）に開示されるシステムがある。同文献に開示されるシステムは、ユーザの症状、ユーザがサプリメントを摂る目的、ユーザが希望する栄養素、ユーザが希望する商品名又は会社名等を入力することにより、商品マスターデータベース、症状栄養素データベース、目的栄養素データベース等のデータに基づいて、ユーザに必要な（所望の）１又は複数種類のサプリメントが決定され、その後、１日あたりの価格、所定服用回数分の価格が算出され、購入するサプリメントやその量を変更可能に構成されている。
【０００３】
かかるシステムによれば、ユーザに必要な１又は複数種類のサプリメントを決定し、決定された１又は複数種類のサプリメントを分包機で自動的に分包してユーザに提供でき、さらに、最終的にはユーザが購入予定のサプリメント、購入量、価格を決定できる。
【先行技術文献】
【特許文献】
【０００４】
【特許文献１】特開２００４−２７２６１８号公報
【発明の概要】
【発明が解決しようとする課題】
【０００５】
しかしながら、上記の特許文献１に開示されるような従来のシステムは、システムを自動化することが目的であり、薬剤師など専門家のアドバイスを有効に生かすことは難しかった。具体的には、サプリメントに対するユーザの希望の内容について改善の余地があった。また、ユーザが希望した内容に応じてサプリメントが決定されても、購入直前になって希望を変更したくなることがある。この場合、ユーザの希望の入力という最初のステップからやり直さなければならず、購入の意思を削ぐおそれがあった。これらの点について、薬剤師など専門家のアドバイスを有効に生かすことは難しかった。
【０００６】
そこで本発明は、このような問題に鑑みてなされたもので、その目的とするところは、薬剤師など専門家のアドバイスを有効に生かすことの可能な、新規かつ改良されたサプリメント推奨システムを提供することにある。
【課題を解決するための手段】
【０００７】
上記課題を解決するために、本発明によれば、ユーザ情報を取得するユーザ情報取得部と、前記ユーザ情報取得部で取得されたユーザ情報に基づいて複数のサプリメント推奨シートから１つを選択するサプリメント推奨シート選択部と、前記サプリメント推奨シート選択部により選択されたサプリメント推奨シートを出力するサプリメント推奨シート出力部と、を有するシステムが提供される。ここで、前記ユーザ情報取得部は、前記ユーザ情報として、ユーザの属性と生活習慣に関する情報と、ユーザの健康課題に関する情報と、ユーザの健康への指向性に関する情報と、サプリメントの由来成分と価格の希望に関する情報と、を取得する。前記サプリメント推奨シート選択部は、前記サプリメントの成分由来と価格の希望に関する情報により、前記サプリメント推奨シートを選択する。前記サプリメント推奨シートは、前記ユーザの属性と生活習慣に関する情報を点数化したものと、前記ユーザの健康課題に関する情報と、前記ユーザの健康への指向性に関する情報と、に応じて、ユーザに推奨される１又は２種類以上のサプリメントを選択可能なように、サプリメント名が一覧表示されたものであることを特徴とする。
【０００８】
かかる構成によれば、薬剤師など専門家のアドバイスを聞きながらサプリメントを選択することができる。すなわち、ユーザ情報の入力の際、動物由来や植物由来など、専門家でないとわかりにくい項目をユーザ情報として取得することができる。また、サプリメント推奨シートには、具体的なサプリメント名が記載されているので、わかりやすい。さらに、購入直前になってユーザの希望が変更された場合であっても、サプリメント推奨シートによって、変更された内容後のサプリメントをすぐに選ぶことができる。このため、ユーザの希望の入力という最初のステップからやり直す必要がなく、購入の意思を削ぐおそれがなくなる。このように、システムにヒューマン要素をとり入れることで、薬剤師など専門家のアドバイスを有効に生かすことが可能である。
【０００９】
本発明は様々な応用が可能である。以下の応用例は適宜組み合わせることが可能である。
例えば、前記ユーザに推奨されるサプリメントには、推奨が優先される優先サプリメントと優先されない非優先サプリメントが予め設定されており、前記優先サプリメントと前記非優先サプリメントが同時に選択された場合には、前記優先サプリメントがユーザに推奨されるようにしてもよい。
【００１０】
サプリメント推奨シートが、サプリメント名が一覧表示されたものであるという特質上、複数のサプリメントが選択された場合に、サプリメントによっては飲み合わせが悪かったり、同じ成分が複数のサプリメントに含まれており、過剰摂取になったりすることがある。この点、推奨が優先される優先サプリメントと優先されない非優先サプリメントとを予め設定しておくことにより、サプリメントの組み合わせの不具合や過剰摂取を効果的に防止することができる。
【００１１】
また、所定のコメントが記載されたコメントシートを出力するコメントシート出力部をさらに有し、前記コメントシート出力部は、前記ユーザの属性と生活習慣に関する情報を点数化したものが所定点数を下回っていたか、又は、前記ユーザにより健康課題として選択されなかったことによってサプリメントがユーザに推奨されないときに、前記コメントシートを出力するようにしてもよい。
【００１２】
サプリメントがユーザに推奨されないときであっても、コメントシートが出力されることによって、適切なアドバイス（コメント）を得ることができる。このようにして、薬剤師など専門家のアドバイスをより有効に生かすことができる。
【発明の効果】
【００１３】
本発明によれば、薬剤師など専門家のアドバイスを有効に生かすことの可能なサプリメント推奨システムが提供される。本発明のその他の効果については、後述する発明を実施するための形態においても説明する。
【図面の簡単な説明】
【００１４】
【図１】サプリメント推奨システム１００の構成を示す図である。
【図２】ユーザ情報を取得するための設問と回答選択肢を示す図であり、（ａ）はＸ軸（属性と生活習慣）を示し、（ｂ）はＹ軸（健康課題）を示し、（ｃ）はＺ軸（健康への指向性）を示し、（ｄ）は由来成分と価格の希望を示す。
【図３】Ｘ軸の設問に対応するブロック番号を示す図である。
【図４】ブロック番号とブロック名称との対応を示す図である。
【図５】素材リスト（ブロック番号とサプリメントとの対応）を示す図である。
【図６】Ｘ軸の加算ポイントロジックの一例を示す図である。
【図７】成分由来と価格の希望での分岐を示す図である。
【図８】サプリメント推奨シート出力部１３０により出力されるサプリメント推奨シートの一例を示す図である。
【図９】サプリメント推奨システム１００の動作を説明する図である。
【図１０】コメントシートを示す図である。
【発明を実施するための形態】
【００１５】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１６】
（第１の実施形態）
第１の実施形態について説明する。図１は、本実施形態のサプリメント推奨システム１００の構成を示す図である。サプリメント推奨システム１００は、図１に示したように、ユーザ情報を取得するユーザ情報取得部１１０と、ユーザ情報取得部１１０で取得されたユーザ情報に基づいて複数のサプリメント推奨シートから１つを選択するサプリメント推奨シート選択部１２０と、サプリメント推奨シート選択部１２０により選択されたサプリメント推奨シートを出力するサプリメント推奨シート出力部１３０と、を主に有することを特徴とする。以下、各システム要素について詳細に説明する。
【００１７】
（ユーザ情報取得部１１０）
ユーザ情報取得部１１０は、ユーザ情報を取得する機能部である。ユーザ情報取得部１１０は、ユーザが操作するコンピュータにインストールされている。ユーザはユーザ自身の判断でユーザ情報を入力してもよく、薬剤師など専門家のアドバイスに従ってユーザ情報を入力してもよい。入力作業自体は薬剤師など他の者が行ってもよい。ユーザ情報取得部１１０は、図１に示したように、取得されたユーザ情報を、後段のサプリメント推奨シート選択部１２０に渡す。
【００１８】
ユーザ情報取得部１１０により取得されるユーザ情報について、図２を参照しながら説明する。図２は、ユーザ情報を取得するための設問と回答選択肢を示す図である。ユーザ情報取得部１１０は、ユーザ情報として、以下の３軸（Ｑ１〜Ｑ８）と、成分由来と価格の希望（Ｑ９、Ｑ１０）を取得する。後述するサプリメント推奨シート選択部１２０とサプリメント推奨シート出力部１３０は、本システムのアウトプットとして、各個人に最適化（カスタマイズ）されたサプリメント推奨シートをアウトプットする。
【００１９】
ユーザ情報の３軸（Ｘ軸・Ｙ軸・Ｚ軸）は、図２に示したように、以下のとおりである。
Ｘ軸：ユーザの属性と生活習慣「食事・運動・睡眠・ストレス改善」区分（Ｑ１〜Ｑ６）
Ｙ軸：ユーザの健康課題２５種類（Ｑ７）
Ｚ軸：ユーザ健康への指向性「健康・未病自覚あり／なし・病気」区分（Ｑ８）
これらは、紙媒体であるアンケート用紙であってもよく、コンピュータ上に表示してもよい。ユーザ情報の入力はコンピュータ上で行われる。この際に、ユーザ本人だけで行ってもよいが、薬剤師のアドバイスを受けながら入力するとより確実である。以下詳細に説明する。
【００２０】
＜Ｘ軸＞（属性と生活習慣）
Ｘ軸（属性と生活習慣）に関する設問（問診）は、図２（ａ）に示したように、以下のとおりである。
設問１（年齢・性別）
設問２（女性にお伺いします。）
設問３（現在受診をしていますか？飲んでいる薬はありますか？）
設問４（食生活に関するもの）
設問５（生活状況に関するもの）
設問６（嗜好品に関するもの）
【００２１】
Ｘ軸（属性と生活習慣）に関する設問は、以下の特徴がある。
・最低限の質問で必要な健康課題を抽出している。ユーザが答える手間と抽出される健康課題のバランスを考慮している。
・設問により直ちにサプリメントを抽出するのではなく、改善ポイントを抽出している。結果的には、その改善ポイントに紐づけされたサプリメントが推奨される。
・ユーザ自身の要望として顕在化されていない内容である。なお、薬であれば症状が無いものに薬を推奨することは問題があるが、サプリメントは予防のための健康食品であるため問題はない。ユーザ自身の要望として顕在化されていない内容に関するサプリメントを推奨することができる。よって予防の観点から症状が無くても本人の意識に顕在化している課題へのアウトプットが重要となる。当アルゴリズムは、顕在と非顕在の両面をサポートしている。
【００２２】
＜Ｙ軸＞（健康課題）
Ｙ軸（健康課題）に関する設問は、図２（ｂ）に示したように、以下の２５項目（（１）〜（２５））から複数選択可能。すなわち、１又は２以上の項目が選択される。
（１）体重、（２）血圧・糖質・脂質、（３）足腰、（４）意欲・集中力、（５）記憶・判断力、（６）疲労感、（７）感染対策、（８）アレルギー対策、（９）アンチエイジング、（１０）がん予防、（１１）脳血管の健康、（１２）心血管の健康、（１３）呼吸の健康、（１４）消化の健康、（１５）排泄の健康、（１６）女性性の維持、（１７）肌の健康、（１８）目の健康、（１９）耳・鼻の健康、（２０）口腔の健康、（２１）睡眠の健康、（２２）セクシュアルヘルス、（２３）メンタルヘルス、（２４）飲酒対策、（２５）腫れ対策
【００２３】
なお、上記の設問は一例に過ぎず、設問の内容を変更したり（例えば、脂質を尿酸値に変更するなど）、設問の数を増減したりするようにしてもよい。このようにＹ軸は、ユーザ自身の要望として顕在化している内容である。上記のＸ軸とＹ軸の２つの軸を用いることによって、ユーザの顕在化していない要望と顕在化している要望の両面からサポートすることができる。
【００２４】
＜Ｚ軸＞（健康への指向性）
Ｚ軸（健康への指向性）に関する設問は、図２（ｃ）に示したように、以下のとおりである。
（ａ）今は健康だが予防したい
（ｂ）自覚症状はあるが、検査などの数値に異常はない。
（ｃ）自覚症状はないが、検査などの数値に異常がある。
（ｄ）自覚症状、数値に異常がある。
【００２５】
＜その他＞（成分由来と価格の希望）
その他（成分由来と価格の希望）は、図２（ｄ）に示したように、以下のとおりである。
（Ｑ９）同じ機能性をもつサプリメントがある場合の成分由来の優先希望をお選びください。植物性原料を希望、動物性原料を希望、植物性原料と動物性原料を問わない、のいずれかを選択する。
（Ｑ１０）サプリメント機能と価格についての希望をお選びください。価格を優先、機能を優先、優先は問わない、のいずれかを選択する。
【００２６】
本実施形態ではこのように、ユーザ情報取得部１１０は、ユーザ情報として、サプリメントの由来成分と価格の希望に関する情報を取得することを特徴とする。特に、本実施形態では、薬剤師など専門家のアドバイスを有効に生かすことにより、専門的な情報であるサプリメントの由来成分に関する情報を取得できることを特徴とする。
【００２７】
以上、ユーザが操作する側であるユーザ情報取得部１１０について説明した。次に、サプリメント推奨シートに関する機能部である、サプリメント推奨シート選択部１２０とサプリメント推奨シート出力部１３０について説明する。
【００２８】
（サプリメント推奨シート選択部１２０）
サプリメント推奨シート選択部１２０は、ユーザ情報取得部１１０で取得されたユーザ情報に基づいて、複数のサプリメント推奨シートから１つを選択する機能部である。ここでサプリメント推奨シートは、Ｘ軸（属性と生活習慣）に関する情報を点数化したものと、Ｙ軸（健康課題）に関する情報と、Ｚ軸（健康への指向性）に関する情報と、に応じて、ユーザに推奨される１又は２種類以上のサプリメントを決定可能なように、サプリメント名が一覧表示されたものである。このためにサプリメント推奨シート選択部１２０は、以下のいくつかの情報をデータベース化して保持している。以下説明する。
【００２９】
＜Ｘ軸：設問に対応するブロック番号（図３〜図５）＞
図３は、上述したＸ軸（属性と生活習慣）に対応するものであり、設問とブロック番号との対応を示す図である。図３に示したように、各設問は１又は２以上の設問に対応している。そして、各設問は、ブロック番号に対応している。例えば、設問番号：１は、年齢に関する設問であり、年齢に関する設問はブロック番号：１１、１３、１７に対応している。設問番号：４は、食事に関する設問である。設問の一つ「カロリーの高いもの（肉や脂分・油分）をよく摂っていますか？」は、ブロック番号：９、１１、１８、３１に対応している。このようにして、設問とブロック番号とが対応付けられている。
【００３０】
図４は、ブロック番号とブロック名称との対応を示す図である。各ブロック番号は、図４に示したように、それぞれブロック名称に対応している。ブロック番号：１は、ブロック名称：マルチビタミン（ＭＶ）に対応している。ブロック番号：１〜８は栄養素に対応している。ブロック番号：９〜３３はＹ軸（健康課題）の各設問（１）〜（２５）の２５種類に対応している。
【００３１】
以上のようにして、各設問とブロック名称とが対応付けられている。
【００３２】
図５は、素材リストを示す図であり、ブロック番号とサプリメントとの対応を示す。具体的には、ブロック番号、健康課題（（１）〜（２５）の２５種類）、素材、抽出成分、産地（国）、産地（地方）、素材由来、価値・機能、及び由来成分の関係を示す図である。例えば、ブロック番号：９は、健康課題：（１）体重、素材：甲殻類キチン質、抽出成分：キトサン、産地（国）：日本、産地（地方）：空、素材由来：、価値・機能：廉価、及び由来成分：かにである。
【００３３】
次に、サプリメント推奨シート選択部１２０によるサプリメント推奨シートの選択処理について、図６〜図８を参照しながら説明する。サプリメント推奨シートは、複数のユーザ情報をそれぞれ点数化しその合計点に応じてユーザに推奨される１又は２種類以上のサプリメント名を決定可能なものであることを特徴とする。
【００３４】
図６は、Ｘ軸の加算ポイントロジックの一例を示す図である。
上述の図２〜図５に示したユーザ情報とサプリメントとの対応付けを行うために、具体的な質問の流れを示す図である。
Ｑ１「基本情報についてお伺いします。」に対してユーザが回答する。
ユーザの回答が６０歳以上であるなら（ステップＳ１１０）、ブロック番号：１３の（５）記憶・判断力を１ポイント加算し、ブロック番号：１７の（９）アンチエイジングを２ポイント加算する（ステップＳ１１２）。そして、次の質問に移る。
ユーザの回答が５０歳以上６０歳未満であるなら（ステップＳ１２０）、ブロック番号：１７の（９）アンチエイジングを２ポイント加算する（ステップＳ１２２）。そして、次の質問に移る。
ユーザの回答が４０歳以上５０歳未満であるなら（ステップＳ１３０）、ブロック番号：１７の（９）アンチエイジングを１ポイント加算する（ステップＳ１３２）。そして、次の質問に移る。
【００３５】
年齢以外の質問についても、図６と同様の流れで、ユーザの回答の選択によって、対応するブロック番号にポイントが加算される。そして、最終的な集計において、加算ポイントが例えば「６以上」の場合に、そのブロック番号のサプリメントが推奨シートとしてアウトプットされる。なお、この加算（スコアリング）については、パラメーターを変更することにより調節することができる。
【００３６】
図７は、成分由来と価格の希望での分岐を示す図である。
Ｑ９は成分由来の優先希望についての設問として「同じ機能性をもつサプリメントがある場合の成分由来の優先希望をお選びください。」が問われる。ユーザの希望により、植物性原料を優先希望、動物性原料を優先希望、又は植物性原料でも動物性原料でも問わない、の３つに分岐する。
【００３７】
Ｑ１０は価格についての設問として、「サプリメント機能と価格についての希望をお選びください。」が問われる。ユーザの希望により、価格優先、機能優先、又は優先なしの３つに分岐する。
【００３８】
Ｑ９とＱ１０のユーザごとの回答の選択によって、サプリメント推奨シートＡ〜Ｉが分岐する。本実施形態では、サプリメント推奨プランを９種類（Ａ〜Ｉ）用意している。
【００３９】
図８は、サプリメント推奨シート出力部１３０により出力されるサプリメント推奨シートの一例を示す図である。サプリメント推奨シートは、具体的なサプリメントが一覧表示されている。サプリメント推奨シートは、図８に示したように、縦軸が健康課題によって構成され、横軸がＺ軸（健康への指向性）に関する設問によって構成されている。縦軸の健康課題においては、Ｘ軸（ユーザの属性と生活習慣）の加算ポイントが「６以上」のブロック番号の項目及びＹ軸（健康課題）の設問で選択された内容で、１又は２以上の行が選択される。そして、その選択された行と、横軸のＺ軸（健康への指向性）に関する設問の回答によって選択される列との交わる点のサプリメントが選択される。
【００４０】
例えば、Ｙ軸（健康課題）の設問で選択された内容が、ブロック番号が１０の健康課題：がん予防であり、Ｚ軸（健康への指向性）に関する設問の回答が「自覚症状はないが数字がある」である場合、これらが交わる点の「フコイダン」が選択される。なお、Ｘ軸（ユーザの属性と生活習慣）は、上述したように、ユーザ自身の要望として顕在化されていない内容に関するサプリメントを推奨するものである。この性質上、Ｘ軸に対応するＺ軸としては「自覚症状はないが数字がある」が自動的に選択される。このようにして、１又は２種類以上のサプリメントが選択される。
（修正前）
例えば、加算ポイントが「６以上」のブロック番号が１０の健康課題：がん予防であり、Ｚ軸（健康への指向性）に関する設問の回答が「自覚症状はないが数字がある」である場合、これらが交わる点の「フコダイン」が選択される。このようにして、１又は２種類以上のサプリメントが選択される。
【００４１】
なお、複数のサプリメントが選択された場合に、サプリメントによっては飲み合わせが悪かったり、同じ成分が複数のサプリメントに含まれており、過剰摂取になったりすることがある。このようなことを防止するために、サプリメント推奨シートのサプリメントには、推奨（処方）が優先される優先サプリメントと優先されない非優先サプリメントとが予め設定されている。優先サプリメントと非優先サプリメントとが同時に推奨された場合には、優先サプリメントが選択される。
【００４２】
（サプリメント推奨シート出力部１３０）
サプリメント推奨シート出力部１３０は、サプリメント推奨シート選択部１２０により選択されたサプリメント推奨シートを出力する機能部である。ここで出力とは、紙媒体として印刷するようにしてもよく、コンピュータ（タブレット機器・スマートフォンも含む）に表示するようにしてもよい。
【００４３】
サプリメント推奨シート出力部１３０により出力されたサプリメント推奨シートは、ユーザ本人が使用してもよいが、薬剤師のアドバイスを受けながら使用することが好ましい。この際、薬剤師は、ユーザが希望を変更した場合には、サプリメント推奨シートを見ながら簡単にサプリメントを変更することができる。ユーザ情報の入力を最初からやり直す必要がない。
【００４４】
以上、サプリメント推奨システム１００の構成について説明した。次に、サプリメント推奨システム１００の動作について、図９を参照しながら説明する。
【００４５】
図９は、サプリメント推奨システム１００の動作を説明する図である。
（１）ユーザ情報の入力（ステップＳ１００）
（２）サプリメント推奨シートをアウトプット（ステップＳ２００）
（３）サプリメントの確定（ステップＳ３００）
（４）サプリメント購入（ステップＳ４００）
【００４６】
ステップＳ１００はユーザ情報取得部１１０により行われ、ステップＳ２００はサプリメント推奨シート選択部１２０及びサプリメント推奨シート出力部１３０により行われる。
【００４７】
（１）ユーザ情報の入力（ステップＳ１００）
まず、ユーザ情報取得部１１０にユーザ情報が入力される。このユーザ情報の入力は、健康サポート薬局の店舗等に設置されたユーザ情報取得部１１０で入力することができる。この際、薬剤師のコンサルテーションがあってもよい。
【００４８】
（２）サプリメント推奨シートをアウトプット（ステップＳ２００）
上記ステップＳ１００で入力されたユーザ情報に基づいて、サプリメント推奨シート選択部１２０によりサプリメント推奨シートが選択される。そして、サプリメント推奨シート出力部１３０により、サプリメント推奨シートがアウトプットされる。このようにして、ユーザにカスタマイズされたサプリメント推奨シートがアウトプットされる。
【００４９】
（３）サプリメントの確定（ステップＳ３００）
ユーザの状況を最も把握している薬剤師による最終コンサルテーションにて、ユーザに最適なサプリメントが確定される。
【００５０】
（４）サプリメント購入（ステップＳ４００）
ユーザはサプリメントの購入を行う。オンライン上でサプリメントを購入する仕組みについては、従来から知られており、それらを活用することができる。このようにして、ユーザにカスタマイズされたサプリメントを購入することができる。
【００５１】
（第１の実施形態の効果）
以上説明したように、本実施形態によれば、薬剤師など専門家のアドバイスを聞きながらサプリメントを選択することができる。すなわち、ユーザ情報の入力の際、動物由来や植物由来など、専門家でないとわかりにくい項目をユーザ情報として取得することができる。また、サプリメント推奨シートには、具体的なサプリメント名が記載されているので、わかりやすい。さらに、購入直前になってユーザの希望が変更された場合であっても、サプリメント推奨シートによって、変更された内容後のサプリメントをすぐに選ぶことができる。このため、ユーザの希望の入力という最初のステップからやり直す必要がなく、購入の意思を削ぐおそれがなくなる。このように、システムにヒューマン要素をとり入れることで、薬剤師など専門家のアドバイスを有効に生かすことが可能である。
【００５２】
また、推奨が優先される優先サプリメントと優先されない非優先サプリメントとを予め設定しておくことにより、サプリメントの組み合わせの不具合や過剰摂取を効果的に防止することができる。
【００５３】
以下では、上記第１の実施形態を応用した他の実施形態について説明する。以下の実施形態の説明では、上記第１の実施形態と異なる点を中心に説明することとし、上記第１の実施形態と同様の点については、重複説明を省略する。
【００５４】
（第２の実施形態）
上記実施形態の特徴に加えて、さらに、アドバイスやコメントが記載されたコメントシートを出力するコメント出力部を有してもよい。コメントシートは、例えば図１０に示したように、アドバイス（コメント）一覧である。このようなコメントシートには、例えば、条件：Ｘ軸問診の結果体重のポイントが４か５の人、かつ、Ｙ軸問診で体重を選ばなかった人に対して、コメント「ヘルスチェックにより体重の増加に注意が必要となりました」というアドバイスが表示される。ここで、ポイントが４か５であることの意味は、サプリメントが推奨されるポイントが６には達しないものの何らかのアドバイス（コメント）が必要な人に適切に対応するという意味である。本実施形態では、図１０に示したように、コメント１〜１７のアドバイスが表示される。
【００５５】
薬剤師はコメントシートを参照しながら最終コンサルテーションを行ってもよい。あるいは、薬剤師を介さない場合は、ユーザ自らがコメントシートを参照しながらサプリメントを適宜追加等しつつ確定してもよい。
【００５６】
（第２の実施形態の効果）
以上のように、本実施形態によれば、Ｘ軸問診の結果で加算ポイントが所定点数を下回って低い場合や、Ｙ軸問診でユーザにより健康課題として選択されなかったことによってサプリメントがユーザに推奨されないときであっても、コメントシートが出力されることによって、適切なアドバイス（コメント）を得ることができる。このようにして、薬剤師など専門家のアドバイスをより有効に生かすことができる。
【００５７】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００５８】
例えば、サプリメント推奨シートの内容については、中期・長期的にあるいは任意のタイミングに変更してもよい。例えば、以下のようなタイミングで変更することができる。
（１）新カテゴリーの新しいサプリメントが導入された場合
この際、Ｘ軸（属性と生活習慣）のスコアリングの設定も連動してアップデートする必要がある。また、Ｙ軸（健康課題）の新しいカテゴリーを設定する必要がある。
（２）既存のカテゴリーへの既存のサプリメントの差し替え
例えば既存と同じ「アンセリン」でも、より純度の高いサプリメントに差し替えるような場合であるが、その場合、オプション補助のビタミンＢなどが不要となったりする可能性がある。そうなればサプリメント推奨シートをアップデートする必要の可能性がある。
（３）既存カテゴリーへの新サプリメント
例えば、既存の健康課題「（１）血圧」に既存のサプリメントと併行して、新しいサプリメントが追加されるような場合であるが、既存のサプリメントとどちらをアウトプットした方がより健康に寄与するかの判定に合わせて、サプリメント推奨シートがアップデートされる必要がある。
【００５９】
上記実施形態では、サプリメント推奨シート出力部１３０がサプリメント推奨シートを出力する例について説明したが、本発明はこれに限定されない。サプリメント推奨シートを出力せず、サプリメント推奨シートからのサプリメントの決定は、すべてサプリメント推奨システム内で処理されてもよい。
【００６０】
また、上記実施形態では、ユーザが健康サポート薬局などに出向いて本システムを利用する場合について説明したが、本発明はこれに限定されない。ユーザが所有するコンピュータを用いて処理を行ってもよい。この場合でも必要に応じて、薬剤師など専門家のアドバイスを受けることは可能である。
【００６１】
上記実施形態、応用例、変形例は、任意に組み合わせて実施することができる。
【符号の説明】
【００６２】
１００  サプリメント推奨システム
１１０  ユーザ情報取得部
１２０  サプリメント推奨シート選択部
１３０  サプリメント推奨シート出力部
【図１】
2019101557.tif 000003
【図２】
2019101557.tif 000004
【図３】
2019101557.tif 000005
【図４】
2019101557.tif 000006
【図５】
2019101557.tif 000007
【図６】
2019101557.tif 000008
【図７】
2019101557.tif 000009
【図８】
2019101557.tif 000010
【図９】
2019101557.tif 000011
【図１０】
2019101557.tif 000012